(57)【特許請求の範囲】
【請求項１】
塗布剤が収容された容器体を密封する蓋体を２つに折り曲げることにより前記蓋体に塗布剤の吐出穴が形成されるとともに前記容器体が押圧されて前記吐出穴から塗布剤が吐出される構造の包装体と、
前記蓋体を折り曲げた状態でその折り曲げ部付近に配置される塗布具と、
を備え、
前記塗布具は、前記蓋体を折り曲げる前の状態では櫛歯が互いに噛み合い、前記蓋体を折り曲げることにより櫛歯が立設される一対の櫛からなるものであること
を特徴とする塗布具付包装体。
【請求項２】
前記容器体には、２剤混合式の毛髪化粧料の第１剤及び第２剤を独立して収容する複数のポケット部が形成され、
前記蓋体には、前記吐出穴として前記複数のポケット部のそれぞれと連通する複数の吐出穴が形成されること
を特徴とする請求項１に記載の塗布具付包装体。
【請求項３】
前記複数の吐出穴から吐出された塗布剤を互いに近づける方向に案内する案内板を備えること
を特徴とする請求項２に記載の塗布具付包装体。
【請求項４】
前記複数の吐出穴は、互いに近づく方向に塗布剤を吐出するように形成されること
を特徴とする請求項２又は請求項３に記載の塗布具付包装体。
【請求項５】
前記塗布具は、前記包装体に着脱可能な状態で装着されていること
を特徴とする請求項１から請求項４までのいずれか１項に記載の塗布具付包装体。
【請求項６】
前記蓋体に着脱可能な状態で装着され、前記蓋体と一体的に折り曲げ可能なシート状の装着部材を備え、
前記塗布具は、前記装着部材に固定されていること
を特徴とする請求項５に記載の塗布具付包装体。
【請求項７】
塗布剤が収容された容器体を密封する蓋体を２つに折り曲げることにより前記蓋体に塗布剤の吐出穴が形成されるとともに前記容器体が押圧されて前記吐出穴から塗布剤が吐出される構造の包装体と、
前記蓋体を折り曲げた状態でその折り曲げ部付近に配置される塗布具と、
前記蓋体に着脱可能な状態で装着され、前記蓋体と一体的に折り曲げ可能なシート状の装着部材と、
を備え、
前記塗布具は、前記装着部材に固定されていること
を特徴とする塗布具付包装体。
【請求項８】
前記容器体には、２剤混合式の毛髪化粧料の第１剤及び第２剤を独立して収容する複数のポケット部が形成され、
前記蓋体には、前記吐出穴として前記複数のポケット部のそれぞれと連通する複数の吐出穴が形成されること
を特徴とする請求項７に記載の塗布具付包装体。
【請求項９】
前記複数の吐出穴から吐出された塗布剤を互いに近づける方向に案内する案内板を備えること
を特徴とする請求項８に記載の塗布具付包装体。
【請求項１０】
前記複数の吐出穴は、互いに近づく方向に塗布剤を吐出するように形成されること
を特徴とする請求項８又は請求項９に記載の塗布具付包装体。
【請求項１１】
塗布剤が収容された容器体を密封する蓋体を２つに折り曲げることにより前記蓋体に塗布剤の吐出穴が形成されるとともに前記容器体が押圧されて前記吐出穴から塗布剤が吐出される構造の包装体に装着して用いられる包装体用塗布具であって、
前記蓋体に装着可能であるとともに前記蓋体と一体的に折り曲げ可能なシート状の装着部材と、
前記装着部材に固定され、前記装着部材を折り曲げた状態でその折り曲げ部付近に配置される塗布具と、
を備えることを特徴とする包装体用塗布具。
【請求項１２】
前記容器体には、２剤混合式の毛髪化粧料の第１剤及び第２剤を独立して収容する複数のポケット部が形成され、
前記蓋体には、前記吐出穴として前記複数のポケット部のそれぞれと連通する複数の吐出穴が形成され、
前記装着部材は、前記複数の吐出穴から吐出された塗布剤を互いに近づける方向に案内する案内板を備えること
を特徴とする請求項１１に記載の包装体用塗布具。
【請求項１３】
前記塗布具は、前記蓋体を折り曲げる前の状態では櫛歯が互いに噛み合い、前記蓋体を折り曲げることにより櫛歯が立設される一対の櫛からなるものであること
を特徴とする請求項１１又は請求項１２に記載の包装体用塗布具。
【請求項１４】
塗布剤が収容された容器体を密封する蓋体を２つに折り曲げることにより前記蓋体に塗布剤の吐出穴が形成されるとともに前記容器体が押圧されて前記吐出穴から塗布剤が吐出される構造の包装体に、前記蓋体に装着可能であるとともに前記蓋体と一体的に折り曲げ可能なシート状の装着部材と、前記装着部材に固定され、前記装着部材を折り曲げた状態でその折り曲げ部付近に配置される塗布具とを備える包装体用塗布具を装着し、
前記蓋体と前記装着部材とを一体的に折り曲げることにより前記吐出穴から塗布剤を吐出させ、前記塗布具を用いて塗布すること
を特徴とする塗布剤の塗布方法。
【発明の詳細な説明】
【技術分野】
【０００１】
本発明は、塗布具付包装体、包装体用塗布具、包装体及び塗布剤の塗布方法に関するものである。
【背景技術】
【０００２】
従来、指でつまんで２つに折り曲げることにより内容物を簡単に抽出することのできる構造の包装体が提案されている（特許文献１参照）。この包装体は、比較的堅固で平坦なシート状の蓋体の裏面に可撓性を有する容器体の周縁部を固着してポケット部が形成され、このポケット部に内容物が収容されるとともに、蓋体を折り曲げやすいようにするために切れ目等を施して折曲線が形成され、この折曲線と交差するように突起部が形成されている。
【０００３】
そして、使用に際しては、包装体の蓋体を指でつまんでポケット部が押圧される方向に折り曲げる。これにより、蓋体の突起部が破断して吐出穴が形成されるとともにポケット部が押圧され、吐出穴から内容物が吐出される。
【０００４】
なお、このような構造の容器はディスペンパック（登録商標）として食品業界では実用化されており、例えば弁当用のドレッシングやマヨネーズ等の容器として利用されている。
【特許文献１】特開平１１−３０１７４６号公報
【発明の開示】
【発明が解決しようとする課題】
【０００５】
前述した包装体は、小型で持ち運びに便利であり、しかも片手で手軽に操作できる点で、非常に便利なものである。そこで、こうした包装体に毛髪化粧料等の塗布剤を収容することが考えられる。しかしながら、塗布剤の場合には、包装体とは別に塗布剤を塗布するための塗布具（櫛やブラシ等）が必要となるため、塗布剤を塗布具に抽出した後にその塗布具を用いて毛髪に塗布するか、あるいは毛髪に塗布剤を直接抽出した後に塗布具で塗布するといったように、包装体と塗布具とを持ち替えて（又は両手で）作業しなければならず、前述した包装体の利点である手軽さが十分に生かされないという問題があった。
【０００６】
本発明は、こうした問題にかんがみてなされたものであり、塗布剤を抽出しつつ塗布具を用いて塗布する作業を手軽に行うことのできる塗布具付包装体、包装体用塗布具、包装体及び塗布剤の塗布方法を提供することを目的としている。
【課題を解決するための手段】
【０００７】
上記目的を達成するためになされた本発明の請求項１，７に記載の塗布具付包装体は、塗布剤が収容された容器体を密封する蓋体を２つに折り曲げることにより蓋体に塗布剤の吐出穴が形成されるとともに容器体が押圧されて吐出穴から塗布剤が吐出される構造の包装体と、蓋体を折り曲げた状態でその折り曲げ部付近に配置される塗布具とを備える。
【０００８】
このような塗布具付包装体によれば、塗布剤を抽出しつつ塗布具を用いて塗布する作業を片手で手軽に行うことができる。
ここで、塗布剤としては、例えば、毛髪に塗布する毛髪化粧料が挙げられ、特に、２剤混合式の毛髪化粧料の場合には、例えば請求項２，８に記載のように構成することができる。
【０００９】
すなわち、請求項２，８に記載の塗布具付包装体では、容器体には、２剤混合式の毛髪化粧料の第１剤及び第２剤を独立して収容する複数のポケット部が形成され、蓋体には、吐出穴として複数のポケット部のそれぞれと連通する複数の吐出穴が形成される。
【００１０】
このような塗布具付包装体によれば、２剤混合式の毛髪化粧料の第１剤及び第２剤を抽出しつつ塗布具を用いて混合しながら塗布することができる。
この場合、例えば請求項３，９に記載の塗布具付包装体のように、複数の吐出穴から吐出された塗布剤を互いに近づける方向に案内する案内板を備えた構成とすれば、複数の吐出穴から吐出された第１剤及び第２剤の混合を促進することができる。
【００１１】
また、例えば請求項４，１０に記載の塗布具付包装体のように、複数の吐出穴が互いに近づく方向に塗布剤を吐出するように形成された構成とすることによっても、複数の吐出穴から吐出された第１剤及び第２剤の混合を促進することができる。
【００１２】
一方、塗布具としては、櫛（コーム）、ブラシ、刷毛、ローラ等が挙げられるが、櫛の場合には例えば請求項１のように構成することができる。
すなわち、請求項１に記載の塗布具付包装体では、塗布具は、蓋体を折り曲げる前の状態では櫛歯が互いに噛み合い、蓋体を折り曲げることにより櫛歯が立設される一対の櫛からなるものである。
【００１３】
このような塗布具付包装体によれば、蓋体を折り曲げる前の状態では櫛歯が突出しないコンパクトな形状とすることができる。
また、請求項５，７に記載の塗布具付包装体では、塗布具は、包装体に着脱可能な状態で装着されている。このような塗布具付包装体によれば、包装体が使い捨てであっても、塗布具は繰り返し使用することが可能となる。
【００１４】
具体的には、例えば請求項６，７に記載の塗布具付包装体は、蓋体に着脱可能な状態で装着され蓋体と一体的に折り曲げ可能なシート状の装着部材を備え、塗布具は、装着部材に固定されている。このような塗布具付包装体によれば、塗布具を包装体に容易に装着することができる。
【００１５】
次に、請求項１１に記載の包装体用塗布具は、塗布剤が収容された容器体を密封する蓋体を２つに折り曲げることにより蓋体に塗布剤の吐出穴が形成されるとともに容器体が押圧されて吐出穴から塗布剤が吐出される構造の包装体に装着して用いられるものである。そして、この包装体用塗布具は、蓋体に装着可能であるとともに蓋体と一体的に折り曲げ可能なシート状の装着部材と、装着部材に固定され、装着部材を折り曲げた状態でその折り曲げ部付近に配置される塗布具とを備える。
【００１６】
このような包装体用塗布具によれば、包装体に装着することで、塗布剤を抽出しつつ塗布具を用いて塗布する作業を片手で手軽に行うことができる。
また、請求項１２に記載の包装体用塗布具は、容器体には、２剤混合式の毛髪化粧料の第１剤及び第２剤を独立して収容する複数のポケット部が形成され、蓋体には、吐出穴として複数のポケット部のそれぞれと連通する複数の吐出穴が形成され、装着部材は、複数の吐出穴から吐出された塗布剤を互いに近づける方向に案内する案内板を備える。
【００１７】
このような包装体用塗布具によれば、２剤混合式の毛髪化粧料の第１剤及び第２剤を抽出しつつ塗布具を用いて混合しながら塗布することができる。その際、案内板により、第１剤及び第２剤の混合を促進することができる。
【００１８】
また、請求項１３に記載の包装体用塗布具では、塗布具は、蓋体を折り曲げる前の状態では櫛歯が互いに噛み合い、蓋体を折り曲げることにより櫛歯が立設される一対の櫛からなるものである。
【００１９】
このような包装体用塗布具によれば、蓋体を折り曲げる前の状態では櫛歯が突出しないコンパクトな形状とすることができる。
【００２０】
次に、請求項１４に記載の塗布剤の塗布方法は、塗布剤が収容された容器体を密封する蓋体を２つに折り曲げることにより蓋体に塗布剤の吐出穴が形成されるとともに容器体が押圧されて吐出穴から塗布剤が吐出される構造の包装体に、蓋体に装着可能であるとともに蓋体と一体的に折り曲げ可能なシート状の装着部材と、装着部材に固定され、装着部材を折り曲げた状態でその折り曲げ部付近に配置される塗布具とを備える包装体用塗布具を装着し、蓋体と装着部材とを一体的に折り曲げることにより吐出穴から塗布剤を吐出させ、塗布具を用いて塗布することを特徴とするものである。
【００２１】
このような塗布剤の塗布方法によれば、塗布剤を抽出しつつ塗布具を用いて塗布する作業を片手で手軽に行うことができる。
【発明を実施するための最良の形態】
【００２２】
以下、本発明が適用された実施形態について、図面を用いて説明する。
［１．全体構成］
図１は、実施形態の塗布具付包装体１０の斜視図である。
【００２３】
同図に示すように、この塗布具付包装体１０は、分配包装体２０と、分配包装体２０に着脱可能な状態で装着された専用ケース５０とを備えている。
図２は、分配包装体２０を示す説明図であり、（ａ）は上面図、（ｂ）は底面図、（ｃ）は底面側から見た斜視図である。
【００２４】
この分配包装体２０は、２つのポケット部４１，４２が形成された容器体４０を密封する比較的堅固で平坦なシート状の蓋体３０を、指でつまんで２つに（ポケット部４１，４２を互いに接近させる方向へＶ字形に）折り曲げることにより、容器体４０に収容された内容物を簡単に抽出することのできる構造の小型容器（ディスペンパック（登録商標））である。
【００２５】
具体的には、容器体４０は、各ポケット部４１，４２の周縁部が蓋体３０の裏面に固着され、各ポケット部４１，４２の内容物が混じり合うことのない互いに独立した収容空間が形成されている。そして、各ポケット部４１，４２には、毛髪に塗布するための塗布剤として、２剤混合式の染毛剤の第１剤及び第２剤がそれぞれ収容されている。
【００２６】
また、蓋体３０には、その長手方向に沿って断面三角形状の２本の突起部３１，３２が蓋体３０を裏側（容器体４０側）から凹ませて形成されている。この２つの突起部３１，３２は、蓋体３０の長手方向（図２（ａ）でいう左右方向）における中心線に沿って切れ目を施した折曲線３３と交差している。このため、この折曲線３３に沿って蓋体３０を折り曲げると、各突起部３１，３２が破断して２つのポケット部４１，４２のそれぞれと連通する２つの三角形状の吐出穴が形成されるとともに、ポケット部４１，４２が互いに押圧されることにより、ポケット部４１，４２に収容された第１剤及び第２剤が各吐出穴から吐出される。
【００２７】
一方、図３は、専用ケース５０の斜視図である。
この専用ケース５０は、分配包装体２０の蓋体３０に装着して用いるものであり、蓋体３０と一体的に折り曲げ可能なシート状のケース本体６０と、染毛剤を毛髪に塗布するための櫛体７０とから構成されている。
【００２８】
図４は、ケース本体６０を示す説明図であり、（ａ）は裏面図、（ｂ）は（ａ）のＡ−Ａ断面図、（ｃ）は（ａ）のＢ−Ｂ断面図である。
このケース本体６０は、分配包装体２０の蓋体３０と略同一の長方形状に形成されており、２本の折曲線６１，６２に沿ってＵ字状に折り曲げ可能となっている。
【００２９】
そして、ケース本体６０における中央位置には、蓋体３０を折り曲げることにより蓋体３０に形成される２つの吐出穴から吐出された第１剤及び第２剤を通過させるための開口６３が、２本の折曲線６１，６２間の幅よりも幅広に形成されている。また、この開口６３には、２つの吐出穴から吐出された第１剤及び第２剤を互いに近づける方向に案内する２つの案内板６４，６５が、２本の折曲線６１，６２間の幅と略同一幅でかつ互いに対向する向きに突出して形成されている。
【００３０】
また、ケース本体６０における長手方向に沿った両側の辺及び短手方向に沿った片側の辺には、コの字状に折り曲げた突出片により蓋体３０の周縁部を保持する保持爪６６，６６，…が形成されている。このため、保持爪６６によって形成される溝に蓋体３０の周縁部を挿入しつつ長手方向にスライドさせることにより、ケース本体６０を分配包装体２０に容易に装着可能となっている。
【００３１】
一方、櫛体７０は、図３に示すように、ケース本体６０の開口６３を挟んで互いに対向する向きでケース本体６０に固定された一対の櫛（櫛歯列）からなるものであり、ケース本体６０を折り曲げる前の状態（平板状に展開した状態）では櫛歯が互いに噛み合い、ケース本体６０を折り曲げることにより各櫛の櫛歯が２列に立設されるように配置されている。
【００３２】
なお、分配包装体２０の蓋体３０は、外表面から順に、合成樹脂（ポリエチレン、ポリエチレンテレフタレート、ポリプロピレン、ポリスチレン共重合体、生分解性プラスチック（例えばポリ乳酸）等、又はこれらの積層体）、アルミニウム、合成樹脂の少なくとも３層構造とすることが好ましい。例えば、ポリエチレンテレフタレート、アルミニウム、ポリエチレンの３層構造とする。なお、アルミ層は、真空蒸着、化学蒸着等の方法を用いてアルミナを合成樹脂層に蒸着することにより形成してもよく、また、アルミニウム箔を用いてもよい。
【００３３】
また、分配包装体２０の容器体４０のうち、第１剤（酸化染料含有薬液）の収容されるポケット部４１は、蓋体３０と同様、外表面から順に、合成樹脂、アルミニウム、合成樹脂の少なくとも３層構造とすることが好ましく、例えば、ポリエチレンテレフタレート、アルミニウム、ポリエチレンの３層構造とする。なお、ポケット部４１のアルミ層は、成形時に引き延ばされて薄くなるため、蓋体３０のアルミ層よりも厚くしておくことが好ましい。
【００３４】
一方、第２剤（酸化剤含有薬液）の収容されるポケット部４２は、第１剤の収容されるポケット部４１からアルミ層を除いた構造とすることができ、例えば、ポリエチレンテレフタレート、ポリエチレンの２層構造とする。なお、第１剤と同一の構造（アルミ層を有する構造）とすることも可能であるが、過酸化水素水は自然分解により酸素を発生するため、酸素を逃がしやすくすることができるという面ではアルミ層を有しない構造の方が好ましい。
【００３５】
また、ケース本体６０は、合成樹脂により構成することができる。
［２．染毛剤の塗布方法］
次に、本実施形態の塗布具付包装体１０を用いた染毛剤の塗布方法について説明する。
【００３６】
まず、分配包装体２０に専用ケース５０を装着して塗布具付包装体１０を構成し、専用ケース５０を下方にして指でつまむ（図５（ａ））。
次に、分配包装体２０（具体的には蓋体３０）と専用ケース５０（具体的にはケース本体６０）とを一体的に２つに（ポケット部４１，４２を互いに接近させる方向へＶ字形に）折り曲げる（図５（ｂ））。
【００３７】
これにより、蓋体３０に形成された２つの突起部３１，３２が破断して２つの吐出穴が形成されるとともにポケット部４１，４２が互いに押圧され、ポケット部４１，４２に収容された第１剤及び第２剤が各吐出穴から吐出される（図５（ｃ））。ここで、ケース本体６０の開口６３が２本の折曲線６１，６２間の幅よりも幅広に形成されているため、２つの吐出穴から吐出された第１剤及び第２剤が蓋体３０とケース本体６０との間に流れ込んでしまうことが防止される。また、２つの吐出穴から吐出された第１剤及び第２剤は、２つの案内板６４，６５によって互いに近づける方向に案内されるため、混合されやすくなる。なお、各案内板６４，６５は、第１剤及び第２剤の衝突により下方へしなった状態となる。
【００３８】
このようにして、第１剤及び第２剤を毛髪に直接吐出させる。ここで、専用ケース５０（具体的にはケース本体６０）を折り曲げた状態では、蓋体３０の折曲線３３付近（具体的には、折曲線３３を挟んだ両側）に櫛体７０の櫛歯が立設されるため、そのまま櫛体７０を用いて、第１剤及び第２剤を混合しながら毛髪（白髪が気になる箇所等）に塗布することができる。
【００３９】
その後、しばらく（例えば１５分間程度）放置し、毛髪をシャワーなどですすいだ後、シャンプーで洗髪する。なお、使用後の分配包装体２０は、専用ケース５０を取り外した上で捨てる。
【００４０】
［３．効果］
以上説明したように、本実施形態の塗布具付包装体１０は、染毛剤の第１剤及び第２剤を独立して収容する２つのポケット部４１，４２が形成された容器体４０を密封する蓋体３０を２つに折り曲げることにより、２つのポケット部４１，４２のそれぞれと連通する２つの吐出穴が蓋体３０に形成されるとともに、容器体４０が押圧されて吐出穴から第１剤及び第２剤が吐出される構造の分配包装体２０と、蓋体３０を折り曲げた状態でその折り曲げ部付近に配置される櫛体７０とを備える。
【００４１】
このため、本実施形態の塗布具付包装体１０によれば、第１剤及び第２剤を抽出しつつ櫛体７０を用いて混合しながら塗布する作業を片手で手軽に行うことができる。しかも、小型に構成できるため、容易に持ち運ぶことができる。
【００４２】
また、この塗布具付包装体１０では、２つの吐出穴から吐出された第１剤及び第２剤が案内板６４，６５によって互いに近づける方向に案内されるため、第１剤及び第２剤の混合を促進することができる。
【００４３】
さらに、この塗布具付包装体１０では、櫛体７０が、ケース本体６０を折り曲げる前の状態では櫛歯が互いに噛み合い、ケース本体６０を折り曲げることにより櫛歯が立設される一対の櫛からなるものであるため、ケース本体６０を折り曲げる前の状態では櫛歯が突出しないコンパクトな形状とすることができる。
【００４４】
加えて、この塗布具付包装体１０では、専用ケース５０が、分配包装体２０に容易に着脱可能な構成であるため、分配包装体２０が使い捨てであっても、専用ケース５０は繰り返し使用することができる。
【００４５】
［４．特許請求の範囲との対応］
なお、本実施形態の塗布具付包装体１０では、分配包装体２０が包装体に相当し、専用ケース５０が包装体用塗布具に相当し、ケース本体６０が装着部材に相当し、櫛体７０が塗布具に相当する。
【００４６】
［５．他の形態］
以上、本発明の実施形態について説明したが、本発明は、上記実施形態に限定されることなく、種々の形態を採り得ることは言うまでもない。
【００４７】
［５−１．塗布具］
上記実施形態では、塗布具として櫛体７０を例示したが、これに限定されるものではない。例えば、図６（ａ）に示すようにブラシ８０を備えた構成や、図６（ｂ）に示すように刷毛９０を備えた構成としてもよい。また、ブラシや刷毛についても、上記実施形態の櫛体７０のように、ケース本体６０を折り曲げることにより立設されるようにすることも可能である。
【００４８】
［５−２．吐出穴］
上記実施形態では、蓋体３０の長手方向に沿って形成された２本の突起部３１，３２が破断して２つの吐出穴が形成される構成を例示したが、これに限定されるものではない。例えば、２つの吐出穴が、第１剤及び第２剤を互いに近づく方向に吐出するように形成されるようにしてもよい。具体的には、例えば図７に示すように、２本の突起部３１，３２を、折曲線３３に近づくにつれて互いに接近する向きに形成する。このようにすれば、２つの吐出穴を互いに近づけた配置とすることができ、しかも、蓋体３０を折り曲げた状態においては、第１剤及び第２剤が２つの吐出穴から互いに近づく方向に吐出されるようになるため、第１剤及び第２剤の混合を促進することができる。
【００４９】
［５−３．ケース本体の装着方法］
上記実施形態では、ケース本体６０を保持爪６６，６６，…により分配包装体２０の蓋体３０に装着可能とした構成を例示したが、これに限定されるものではない。例えば、蓋体３０よりも一回り大きい長方形状の板に、蓋体３０の角部を差し込むための切り込みを入れた構成とすることも可能である。
【００５０】
［５−４．ケース本体の開口］
上記実施形態では、ケース本体６０の開口６３が、２本の折曲線６１，６２間の幅よりも幅広に形成された構成を例示したが、これに限定されるものではなく、２本の折曲線６１，６２間の幅と同じ又は幅狭に形成された構成とすることも可能である。ただし、このようにすると、２つの吐出穴から吐出された第１剤及び第２剤の流動抵抗が大きくなり、第１剤及び第２剤が蓋体３０とケース本体６０との隙間に流れ込みやすくなり、蓋体３０やケース本体６０が汚れたり隙間からの漏れ出しが生じたりしやすくなる。このため、上記実施形態のように、ケース本体６０の開口６３が２本の折曲線６１，６２間の幅よりも幅広に形成された構成とする方が好ましい。
【００５１】
［５−５．着脱可能な構成］
上記実施形態では、専用ケース５０を分配包装体２０に着脱可能な構成を例示したが、これに限定されるものではなく、一体化した構成とすることも可能である。ただし、専用ケース５０を洗浄するなどして再利用できるという面では、上記実施形態のように専用ケース５０を分配包装体２０に着脱可能な構成とする方が好ましい。
【００５２】
［５−６．塗布剤］
上記実施形態では、塗布剤として２剤混合式の染毛剤を例示したが、これに限定されるものではない。例えば、脱色剤のように染毛剤以外の毛髪化粧料であってもよい。また、塗布剤は毛髪化粧料に限定されるものではなく、例えば育毛剤のように毛髪化粧料以外の毛髪用塗布剤であってもよい。さらに、塗布剤は毛髪用のものに限定されるものではなく、例えば頭皮用の塗布剤であってもよい。また、２剤混合式の薬剤に限定されるものではなく、例えば１剤式の薬剤であってもよく、この場合、包装体のポケット部を１つにすることも可能である。
【図面の簡単な説明】
【００５３】
【図１】実施形態の塗布具付包装体の斜視図である。
【図２】分配包装体を示す説明図であり、（ａ）は上面図、（ｂ）は底面図、（ｃ）は斜視図である。
【図３】専用ケースの斜視図である。
【図４】ケース本体を示す説明図であり、（ａ）は裏面図、（ｂ）は（ａ）のＡ−Ａ断面図、（ｃ）は（ａ）のＢ−Ｂ断面図である。
【図５】染毛剤の塗布方法の説明図である。
【図６】変形例としての塗布具の説明図である。
【図７】変形例としての分配包装体の上面図である。
【符号の説明】
【００５４】
１０…塗布具付包装体、２０…分配包装体、３０…蓋体、３１，３２…突起部、３３…折曲線、４０…容器体、４１，４２…ポケット部、５０…専用ケース、６０…ケース本体、６１，６２…折曲線、６３…開口、６４，６５…案内板、６６…保持爪、７０…櫛体
【図１】
0005138452.tif 000002
【図２】
0005138452.tif 000003
【図３】
0005138452.tif 000004
【図４】
0005138452.tif 000005
【図５】
0005138452.tif 000006
【図７】
0005138452.tif 000007
【図６】
0005138452.tif 000008